(57)【特許請求の範囲】
【請求項１】
第一容器、陽イオン固相カラム、陰イオン交換カラム、第二容器、収集フラスコ、廃液瓶、制御装置及び中央演算処理ユニットを含み、
この第一容器はテクネチウム−９９ｍ過テクネチウム酸溶液を収納し、
陽イオン固相カラムは第一輸送パイプを通じて該第一容器と互いに接続するものであり、該第一輸送パイプは第一電磁バルブを含むもの、
陰イオン交換カラムは第二輸送パイプを通じて該陽イオン固相カラムと互いに接続するもの、そして該第二輸送パイプは第二電磁バルブを含み、
第二容器は生理食塩水溶液を収納するもの、第三輸送パイプを通じて該第二電磁バルブと互いに接続し、
収集フラスコは第四輸送パイプを通じて当該陰イオン交換カラムと連結するもの、第四輸送パイプは第三電磁バルブを含み、該収集フラスコはその下に重量測定コンポーネントと第一ガイガー管を設け、該収集フラスコ内部のテクネチウム−９９ｍ過テクネチウム酸溶液の重量と活性度を監視測定し、
廃液瓶は第五輸送パイプを通じて該第三電磁バルブと互いに接続するもの、
そのうち、モーターを通してテクネチウム−９９ｍ過テクネチウム酸溶液又は生理食塩水溶液を該第一輸送パイプ、該第二輸送パイプ、該第三輸送パイプ、該第四輸送パイプ及び該第五電磁バルブの収集フラスコ又は廃液瓶に輸送し、
制御装置はそれは放射線測定モジュール、シグナル測定モジュール、シグナル制御モジュールを含み、当該放射線測定モジュールは第一ガイガー管に接続され、当該シグナル測定モジュールは当該重量測定コンポーネントに接続され、当該シグナル制御モジュールは当該モーター、該第一電磁バルブ、該第二電磁バルブ及び該第三電磁バルブに接続され、、及び、
中央演算処理ユニットはメモリーを含むものであり、自動制御プログラムを保存し、該制御装置と互いに接続し、
そのうち、当該中央演算処理ユニットを通じて当該自動制御プログラムを実行し、当該収集フラスコ内にあるテクネチウム−９９ｍ過テクネチウム酸の活性と重量により、テクネチウム−９９ｍ過テクネチウム酸溶液を自動濃縮し、テクネチウム−９９ｍ過テクネチウム酸溶液の活性と重量を制御することを特徴とするテクネチウム−９９ｍ過テクネチウム酸溶液の濃縮装置。
【請求項２】
請求項１記載のテクネチウム−９９ｍ過テクネチウム酸溶液の濃縮装置において、当該収集フラスコ内にあるテクネチウム−９９ｍ過テクネチウム酸溶液の活性度の監視測定を行うため、当該廃液瓶の下に第二ガイガー管を設け、且つ当該第二ガイガー管は該放射線測定モジュールと互いに接続することを特徴とするテクネチウム−９９ｍ過テクネチウム酸溶液の濃縮装置。
【請求項３】
請求項１記載のテクネチウム−９９ｍ過テクネチウム酸溶液の濃縮装置において、当該収集フラスコの上には薄膜を設けることを特徴とするテクネチウム−９９ｍ過テクネチウム酸溶液の濃縮装置。
【請求項４】
請求項１記載のテクネチウム−９９ｍ過テクネチウム酸溶液の濃縮装置において、当該モーターはＩｎｃｈｗｏｒｍモーター（登録商標）であり、当該第四輸送パイプと該第五輸送パイプに設けられることを特徴とするテクネチウム−９９ｍ過テクネチウム酸溶液の濃縮装置。
【請求項５】
請求項１記載のテクネチウム−９９ｍ過テクネチウム酸溶液の濃縮装置において、当該陽イオン固相カラムは銀陽イオン固相カラムであることを特徴とするテクネチウム−９９ｍ過テクネチウム酸溶液の濃縮装置。
【請求項６】
請求項１記載のテクネチウム−９９ｍ過テクネチウム酸溶液の濃縮装置において、当該陰イオン交換カラムはＳｅｐ  Ｐａｋ（登録商標）陰イオン交換カラムであることを特徴とするテクネチウム−９９ｍ過テクネチウム酸溶液の濃縮装置。
【請求項７】
請求項１記載のテクネチウム−９９ｍ過テクネチウム酸溶液の濃縮装置において、更に第三容器を含んで無菌水を収納し、第六輸送パイプと第四電磁バルブを通じて当該陽イオン固相カラムと互いに接続することを特徴とするテクネチウム−９９ｍ過テクネチウム酸溶液の濃縮装置。
【請求項８】
請求項１記載のテクネチウム−９９ｍ過テクネチウム酸溶液の濃縮装置において、更に第四容器を含んで生理食塩水を収納し、第七輸送パイプと第五電磁バルブを通じて当該第二輸送パイプと互いに接続することを特徴とするテクネチウム−９９ｍ過テクネチウム酸溶液の濃縮装置。
【請求項９】
請求項２記載のテクネチウム−９９ｍ過テクネチウム酸溶液の濃縮装置において、当該第一ガイガー管と該第二ガイガー管の周囲には鉛が設けられ、外部の放射線信号による干渉から隔離することを特徴とするテクネチウム−９９ｍ過テクネチウム酸溶液の濃縮装置。
【請求項１０】
中央演算処理ユニットを通じて自動制御プログラムを実行し、そしてそれには、放射線測定モジュール、シグナル測定モジュール、シグナル制御モジュールの実行を含み、
当該シグナル制御モジュールの実行には、以下の手順を含み、
モーター、第一電磁バルブ、第二電磁バルブ及び第三電磁バルブを起動し、テクネチウム−９９ｍ過テクネチウム酸溶液を第一容器から第一輸送パイプ、第二輸送パイプ、第四輸送パイプ及び第五輸送パイプを通じて、陽イオン固相カラム、陰イオン交換カラム及び廃液瓶へ輸送すること、及び、
当該第一電磁バルブを閉じ、生理食塩水を該陰イオン交換カラム及び第一収集フラスコへ輸送すること、
当該放射線測定モジュールを実行し、第一ガイガー管を通じてテクネチウム−９９ｍ過テクネチウム酸溶液の活性を監視測定すること、及び、
当該シグナル測定モジュールを実行し、重量測定コンポーネントを通じて該第一収集フラスコ内にあるテクネチウム−９９ｍ過テクネチウム酸溶液の重量を測定し、これによりテクネチウム−９９ｍ過テクネチウム酸溶液の活性を制御すること、以上の手順を含むことを特徴とするテクネチウム−９９ｍ過テクネチウム酸溶液の一種の濃縮方法。
【請求項１１】
請求項１０記載のテクネチウム−９９ｍ過テクネチウム酸溶液の一種の濃縮方法において、モーター、第一電磁バルブ、第二電磁バルブ及び第三電磁バルブを起動する前に、
当該モーター、当該第二電磁バルブ、当該第三電磁バルブ及び第四電磁バルブを開き、第三容器内の無菌水溶液を第六輸送パイプ、当該第二輸送パイプ、当該第四輸送パイプ、
当該第五輸送パイプを経由して当該廃液瓶へ輸送することを特徴とするテクネチウム−９９ｍ過テクネチウム酸溶液の一種の濃縮方法。
【請求項１２】
請求項１０記載のテクネチウム−９９ｍ過テクネチウム酸溶液の一種の濃縮方法において、当該第一電磁バルブを閉じ、生理食塩水を該陰イオン交換カラム及び第一収集フラスコへ輸送した後に、
第五電磁バルブを開き、第四容器内にある生理食塩水溶液を第七輸送パイプ経由させて該陰イオン交換カラムへ輸送、そして当該第四輸送パイプを通じて第二収集フラスコへ伝送させることを特徴とするテクネチウム−９９ｍ過テクネチウム酸溶液の一種の濃縮方法。
【請求項１３】
請求項１０記載のテクネチウム−９９ｍ過テクネチウム酸溶液の一種の濃縮方法において、当該第一電磁バルブを閉じ、生理食塩水を当該陰イオン交換カラム及び第一収集フラスコへ輸送するのと同時に、
当該陰イオン交換カラムを通った後濾過プロセスを実行し、該第一収集フラスコを用いて収集することを特徴とするテクネチウム−９９ｍ過テクネチウム酸溶液の一種の濃縮方法。
【発明の詳細な説明】
【技術分野】
【０００１】
本発明は放射性物質の一種の濃縮装置及び調合方法に関するものであり、特にテクネチウム−９９ｍ過テクネチウム酸溶液の濃縮装置及び方法を指す。
【背景技術】
【０００２】
台湾大学医学部付属病院の曽凱元主任が２００３年に行った統計によると、台湾国内４３の核医学科は合計８８台のＳＰＥＣＴを有している。その造影検査項目のうち筆頭に挙げられるのは骨スキャン及び心筋血流スキャンである。これら二項目の検査で使用する放射性核種こそがテクネチウム−９９ｍである。この調査結果と国外の統計数値は似通っていて、アメリカに於ける２００２年の資料を例に挙げれば、毎年アメリカ国内でテクネチウム−９９ｍを使用して行う検査数は１１５９万回に及び、検査全体の８０. ９％を占めている。上記のデータはテクネチウム−９９ｍが核医学市場全体に於いて占める重要性を示していよう。テクネチウム−９９ｍ利便性と普遍性に関しては、その核種の特性以外にも更に重要な要素が挙げられる。それはジェネレータの形態により臨床上の使用が便利、安全で操作が簡単になるという長所である。しかしジェネレータはしばしば使用後に比活性度を低下させ、臨床検査で求められる活性度を保つことができなくなる。そのためジェネレータは一定期間使用されたら新しいものに交換しなければならない。
【０００３】
テクネチウム−９９ｍは一種の診断用放射性同位元素であり、親核であるモリブデン−９９の半減期は６７時間である。その１４０ｋｅＶのガンマ線は単光子放出コンピュータ断層撮影( ＳＰＥＣＴ) の造影診断又は腫瘍細胞の位置測定( 例：骨造影用のテクネチウム−９９ｍモーターＰ、心臓及び乳がん診断用のテクネチウム−９９ｍＭＩＢＩ及びテクネチウム−９９ｍＭｙｏｖｉｅｗ、脳血流造影用のテクネチウム−９９ｍ  ＨＭＰＡＯ及びテクネチウム−９９ｍＥＣＤ、腎機能の造影剤テクネチウム−９９ｍＭＡＧ３及びパーキンソン氏病診断用のテクネチウム−９９ｍＴＲＯＤＡＴ−１等) に適用できる。その核種の特性は核医学臨床に於いて相当な発展性及び応用への可能性が秘められている。
【０００４】
テクネチウム−９９ｍ溶液はモリブデン−９９/ テクネチウム−９９ｍジェネレータから１２ミリリットルの生理食塩水により真空溶出( Ｅｌｕｔｉｏｎ) を利用する方式で、テクネチウム−９９ｍ過テクネチウム酸溶液を溶出する。そして連続式デュアルカラム固体クロマトグラフィ法原理を用いてテクネチウム−９９ｍ過テクネチウム酸を濃縮し、陰イオン交換樹脂によりテクネチウム−９９ｍ過テクネチウム酸を吸着、更に生理食塩水により陰イオン交換樹脂に吸着したテクネチウム−９９ｍ過テクネチウム酸を分離させ、溶出液を段階ごとに収集し、医薬品規格に適合したテクネチウム−９９ｍ濃縮剤を生産するのである。
【０００５】
本発明の設計により、ジェネレータの使用寿命が延長でき、臨床に必要な放射性医薬品の調合に対して相当な促進作用をもたらされる。そして薬物調合のコストを効果的に削減でき、市場のニーズにも大いに答えるものであり、また作業要員が受ける放射線量を減少することもできるのである。
【発明の開示】
【発明が解決しようとする課題】
【０００６】
本発明の主要目的は、テクネチウム−９９ｍ過テクネチウム酸溶液の一種の濃縮装置及びその方法を提供することにある。自動制御により遠隔操作を行い、濃縮機の濃縮反応過程を直ちに示し、濃縮過程の自動化を行うことで、テクネチウム−９９ｍ過テクネチウム酸溶液の濃縮品質と生産効率を向上するものである。
【０００７】
本発明の副次目的は、テクネチウム−９９ｍ過テクネチウム酸の一種の濃縮装置及びその方法を提供することにある。本発明は密閉型の反応を提供し、放射性核種が輸送パイプから接続され、密閉システム中の濃縮反応に入る時から、最終製品の出力が完了するまでの間にかけて、放射性物質の漏洩を防ぎ、また作業要員が受ける放射線量を減少することもできるものである。
【０００８】
上述された各目的を達成するため、本発明はテクネチウム−９９ｍ過テクネチウム酸溶液の一種の濃縮装置と方法を提供し、自動制御プログラムを利用しテクネチウム−９９ｍ過テクネチウム酸溶液の濃縮過程を制御するものである。本発明は濃縮装置と制御装置を使用し、該濃縮装置の陽イオン固相カラムと冷陰極交換管を用いて濃縮を行い、また該制御装置の放射線測定モジュールを用いてガイガー・ミュラー計数管( Ｇｅｉｇｅｒ- Ｍｕｌｌｅｒ  Ｃｏｕｎｔｅｒ) に接続し、収集フラスコにあるテクネチウム−９９ｍ過テクネチウム酸溶液の活性度を計測するものである。そしてシグナル計測モジュールは重量測定コンポーネントを用い該収集フラスコの重量を測定する。
【課題を解決するための手段】
【０００９】
請求項１の発明は、第一容器、陽イオン固相カラム、陰イオン交換カラム、第二容器、収集フラスコ、廃液瓶、制御装置及び中央演算処理ユニットを含み、
この第一容器はテクネチウム−９９ｍ過テクネチウム酸溶液を収納し、
陽イオン固相カラムは第一輸送パイプを通じて該第一容器と互いに接続するものであり、該第一輸送パイプは第一電磁バルブを含むもの、
陰イオン交換カラムは第二輸送パイプを通じて該陽イオン固相カラムと互いに接続するもの、そして該第二輸送パイプは第二電磁バルブを含み、
第二容器は生理食塩水溶液を収納するもの、第三輸送パイプを通じて該第二電磁バルブと互いに接続し、
収集フラスコは第四輸送パイプを通じて当該陰イオン交換カラムと連結するもの、第四輸送パイプは第三電磁バルブを含み、該収集フラスコはその下に重量測定コンポーネントと第一ガイガー管を設け、該収集フラスコ内部のテクネチウム−９９ｍ過テクネチウム酸溶液の重量と活性度を監視測定し、
廃液瓶は第五輸送パイプを通じて該第三電磁バルブと互いに接続するもの、
そのうち、モーターを通してテクネチウム−９９ｍ過テクネチウム酸溶液又は生理食塩水溶液を該第一輸送パイプ、該第二輸送パイプ、該第三輸送パイプ、該第四輸送パイプ及び該第五電磁バルブの収集フラスコ又は廃液瓶に輸送し、
制御装置はそれは放射線測定モジュール、シグナル測定モジュール、シグナル制御モジュールを含み、当該放射線測定モジュールは第一ガイガー管に接続され、当該シグナル測定モジュールは当該重量測定コンポーネントに接続され、当該シグナル制御モジュールは当該モーター、該第一電磁バルブ、該第二電磁バルブ及び該第三電磁バルブに接続され、及び、
中央演算処理ユニットはメモリーを含むものであり、自動制御プログラムを保存し、該制御装置と互いに接続し、
そのうち、当該中央演算処理ユニットを通じて当該自動制御プログラムを実行し、当該収集フラスコ内にあるテクネチウム−９９ｍ過テクネチウム酸の活性と重量により、テクネチウム−９９ｍ過テクネチウム酸溶液を自動濃縮し、テクネチウム−９９ｍ過テクネチウム酸溶液の活性と重量を制御することを特徴とするテクネチウム−９９ｍ過テクネチウム酸溶液の濃縮装置としている。
請求項２の発明は、請求項１記載のテクネチウム−９９ｍ過テクネチウム酸溶液の濃縮装置において、当該収集フラスコ内にあるテクネチウム−９９ｍ過テクネチウム酸溶液の活性度の監視測定を行うため、当該廃液瓶の下に第二ガイガー管を設け、且つ当該第二ガイガー管は該放射線測定モジュールと互いに接続することを特徴とするテクネチウム−９９ｍ過テクネチウム酸溶液の濃縮装置としている。
請求項３の発明は、請求項１記載のテクネチウム−９９ｍ過テクネチウム酸溶液の濃縮装置において、当該収集フラスコの上には薄膜を設けることを特徴とするテクネチウム−９９ｍ過テクネチウム酸溶液の濃縮装置としている。
請求項４の発明は、請求項１記載のテクネチウム−９９ｍ過テクネチウム酸溶液の濃縮装置において、当該モーターはＩｎｃｈｗｏｒｍモーター（登録商標）であり、当該第四輸送パイプと該第五輸送パイプに設けられることを特徴とするテクネチウム−９９ｍ過テクネチウム酸溶液の濃縮装置としている。
請求項５の発明は、請求項１記載のテクネチウム−９９ｍ過テクネチウム酸溶液の濃縮装置において、当該陽イオン固相カラムは銀陽イオン固相カラムであることを特徴とするテクネチウム−９９ｍ過テクネチウム酸溶液の濃縮装置としている。
請求項６の発明は、請求項１記載のテクネチウム−９９ｍ過テクネチウム酸溶液の濃縮装置において、当該陰イオン交換カラムはＳｅｐ  Ｐａｋ（登録商標）陰イオン交換カラムであることを特徴とするテクネチウム−９９ｍ過テクネチウム酸溶液の濃縮装置としている。
請求項７の発明は、請求項１記載のテクネチウム−９９ｍ過テクネチウム酸溶液の濃縮装置において、更に第三容器を含んで無菌水を収納し、第六輸送パイプと第四電磁バルブを通じて当該陽イオン固相カラムと互いに接続することを特徴とするテクネチウム−９９ｍ過テクネチウム酸溶液の濃縮装置としている。
請求項８の発明は、請求項１記載のテクネチウム−９９ｍ過テクネチウム酸溶液の濃縮装置において、更に第四容器を含んで生理食塩水を収納し、第七輸送パイプと第五電磁バルブを通じて当該第二輸送パイプと互いに接続することを特徴とするテクネチウム−９９ｍ過テクネチウム酸溶液の濃縮装置としている。
請求項９の発明は、請求項２記載のテクネチウム−９９ｍ過テクネチウム酸溶液の濃縮装置において、当該第一ガイガー管と該第二ガイガー管の周囲には鉛が設けられ、外部の放射線信号による干渉から隔離することを特徴とするテクネチウム−９９ｍ過テクネチウム酸溶液の濃縮装置としている。
請求項１０の発明は、中央演算処理ユニットを通じて自動制御プログラムを実行し、そしてそれには、放射線測定モジュール、シグナル測定モジュール、シグナル制御モジュールの実行を含み、
当該シグナル制御モジュールの実行には、以下の手順を含み、
モーター、第一電磁バルブ、第二電磁バルブ及び第三電磁バルブを起動し、テクネチウム−９９ｍ過テクネチウム酸溶液を第一容器から第一輸送パイプ、第二輸送パイプ、第四輸送パイプ及び第五輸送パイプを通じて、陽イオン固相カラム、陰イオン交換カラム及び廃液瓶へ輸送すること、及び、
当該第一電磁バルブを閉じ、生理食塩水を該陰イオン交換カラム及び第一収集フラスコへ輸送すること、
当該放射線測定モジュールを実行し、第一ガイガー管を通じてテクネチウム−９９ｍ過テクネチウム酸溶液の活性を監視測定すること、及び、
当該シグナル測定モジュールを実行し、重量測定コンポーネントを通じて該第一収集フラスコ内にあるテクネチウム−９９ｍ過テクネチウム酸溶液の重量を測定し、これによりテクネチウム−９９ｍ過テクネチウム酸溶液の活性を制御すること、以上の手順を含むことを特徴とするテクネチウム−９９ｍ過テクネチウム酸溶液の一種の濃縮方法としている。
請求項１１の発明は、請求項１０記載のテクネチウム−９９ｍ過テクネチウム酸溶液の一種の濃縮方法において、モーター、第一電磁バルブ、第二電磁バルブ及び第三電磁バルブを起動する前に、
当該モーター、当該第二電磁バルブ、当該第三電磁バルブ及び第四電磁バルブを開き、第三容器内の無菌水溶液を第六輸送パイプ、当該第二輸送パイプ、当該第四輸送パイプ、当該第五輸送パイプを経由して当該廃液瓶へ輸送することを特徴とするテクネチウム−９９ｍ過テクネチウム酸溶液の一種の濃縮方法としている。
請求項１２の発明は、請求項１０記載のテクネチウム−９９ｍ過テクネチウム酸溶液の一種の濃縮方法において、当該第一電磁バルブを閉じ、生理食塩水を該陰イオン交換カラム及び第一収集フラスコへ輸送した後に、
第五電磁バルブを開き、第四容器内にある生理食塩水溶液を第七輸送パイプ経由させて該陰イオン交換カラムへ輸送、そして当該第四輸送パイプを通じて第二収集フラスコへ伝送させることを特徴とするテクネチウム−９９ｍ過テクネチウム酸溶液の一種の濃縮方法としている。
請求項１３の発明は、請求項１０記載のテクネチウム−９９ｍ過テクネチウム酸溶液の一種の濃縮方法において、当該第一電磁バルブを閉じ、生理食塩水を当該陰イオン交換カラム及び第一収集フラスコへ輸送するのと同時に、
当該陰イオン交換カラムを通った後濾過プロセスを実行し、該第一収集フラスコを用いて収集することを特徴とするテクネチウム−９９ｍ過テクネチウム酸溶液の一種の濃縮方法としている。
【発明の効果】
【００１０】
本発明はテクネチウム−９９ｍ過テクネチウム酸溶液の一種の濃縮装置及びその方法に関するものである。当該装置は濃縮装置、制御装置及び中央演算処理ユニットを設ける。このうち濃縮装置はテクネチウム−９９ｍ過テクネチウム酸溶液の濃縮に用いられ、制御装置は濃縮装置の各部品に接続され、中央演算処理ユニットに自動制御プログラムを保存する。中央演算処理ユニットを通じて自動制御プログラムを実行し、また操作手順に基づき、濃縮されたテクネチウム−９９ｍ過テクネチウム酸溶液の重量と活性を監視測定し制御するのに用い、テクネチウム−９９ｍ過テクネチウム酸溶液の濃縮を自動制御する。このようにしてテクネチウム−９９m の濃縮品質と生産効率を向上させる、また生産作業要員が受ける放射線量を減少させるのに役立てるものである。
【発明を実施するための最良の形態】
【００１１】
図１に示したのは、本発明の好ましい実施例の構造ブロック図である。図に示されるように、本発明はテクネチウム−９９ｍ過テクネチウム酸溶液の一種の濃縮装置を提供するものであり、濃縮装置１０、制御装置４０、及び中央演算処理ユニット５０を含む。本発明は濃縮装置１０を用いて濃縮反応を行うもので、制御装置４０を利用して自動制御を行う。制御装置４０の自動制御は中央演算処理ユニット５０を利用して自動制御プログラムを実施するもので、制御装置４０が自動制御プログラムの順序手順に基づき該濃縮装置１０を制御し、テクネチウム−９９ｍ過テクネチウム酸溶液の濃縮に用いる。例えばテクネチウム−９９ｍ過テクネチウム酸溶液濃縮の体積を１２ミリリットルから１ミリリットルに濃縮させる。
【００１２】
図２に示したのは、本発明の好ましい実施例のうち濃縮装置１０の構造ブロック図である。図に示されたように、本発明の該濃縮装置１０は、第一容器１２であって、テクネチウム−９９ｍ過テクネチウム酸溶液を収納し、テクネチウム−９９ｍ溶液を利用してモリブデン−９９/ テクネチウム−９９ｍジェネレータから生理食塩水により真空溶出( Ｅｌｕｔｉｏｎ) を利用する方式で、テクネチウム−９９ｍ過テクネチウム酸溶液を溶出する上記第１容器１２と、陽イオン固相カラム１４であって、第一輸送パイプ１５ａを通じて該第一容器１２と互いに接続するものであり、且つ当該第一輸送パイプ１５ａは第一電磁バルブ１６ａを含む上記陽イオン固相カラム１４と、陰イオン交換カラム１８であって、第二輸送パイプ１５ｂを通じて該陽イオン固相カラム１４と互いに接続し、且つ当該第二輸送パイプ１５ｂは第二電磁バルブ１６ｂを含む上記陰イオン交換カラム１８と、を包含する。
【００１３】
濃縮装置１０はさらに、第二容器２０であって、生理食塩水溶液を収納し、第三輸送パイプ１５ｃを通じて当該第二電磁バルブ１６ｂと互いに接続する上記第二容器２０と、収集フラスコ２２であって、第四輸送パイプ１５ｄを通じて当該陰イオン交換カラム１８と接続し、当該第四輸送パイプ１５ｄは第三電磁バルブ１６ｃを含み、収集フラスコ２２の下には重量測定コンポーネント２４と第一ガイガー管２６を設け、当該収集フラスコ内部のテクネチウム−９９ｍ過テクネチウム酸溶液の重量と活性度を監視測定する上記収集フラスコ２２と、廃液瓶２８であって、第五輸送パイプ１５ｅを通じて該第三電磁バルブ１６ｃと互いに接続する上記廃液瓶２８と、を包含する。そのうち収集フラスコ２２は第一収集フラスコと第二収集フラスコを含む。第四輸送パイプ１５ｄと第五輸送パイプ１５eはＩｎｃｈｗｏｒｍモーター３０を設け、テクネチウム−９９ｍ過テクネチウム酸溶液又は生理食塩水溶液を収集フラスコ２２又は廃液瓶２８への輸送に用いる。陽イオン固相カラム１４は銀陽イオン固相カラムである。陰イオン交換カラム１８はＳｅｐ  Ｐａｋ（登録商標）陰イオン交換カラムである。外部の放射線信号による干渉から隔離するため、第一ガイガー管２６の周囲全てには鉛が設けられている。
【００１４】
図３に示したのは、本発明の好ましい実施例のうち制御装置４０の構造ブロック図である。図に示されるように、本発明の制御装置４０は、放射線測定モジュール４２、シグナル測定モジュール４４、シグナル制御モジュール４６を含む。そのうち放射線測定モジュール４２は第一ガイガー管２６に接続され、シグナル測定モジュール４４は重量測定コンポーネント２４に接続される。そしてシグナル制御モジュール４６はモーター３０、第一電磁バルブ１６a 、第二電磁バルブ１６ｂ及び第三電磁バルブ１６ｃに接続される。放射線測定モジュール４２は第一ガイガー管２６を経て収集フラスコ２２のテクネチウム−９９ｍ過テクネチウム酸溶液濃縮の活性を測定するために用いる。シグナル測定モジュール４４は重量測定コンポーネント２４を経て収集フラスコ２２にある濃縮されたテクネチウム−９９ｍ過テクネチウム酸溶液の重量を測定するために用いる。
【００１５】
図４に示したのは、本発明の好ましい実施例のうち制御装置を表した構造ブロック図である。図に示されたように、本発明の中央演算処理ユニット５０はメモリー５２を含み、ここに自動制御プログラムを保存し、当該制御装置４０と互いに接続する。また中央演算処理ユニット５０は、自動制御プログラムを実行する。
【００１６】
合わせて図５に示したのは、本発明の好ましい実施例のうち濃縮製造を表したフローチャート図である。図に示されたように、本発明はテクネチウム−９９ｍ過テクネチウム酸溶液の一種の濃縮方法であり、以下のものを含む。手順Ｓ１０、中央演算処理ユニット５０を通じて自動制御プログラムを実行するものであり、放射線測定モジュール４２、シグナル測定モジュール４４、シグナル制御モジュール４６の実行を含む。手順Ｓ２０、モーター３０、第一電磁バルブ１６ａ、第二電磁バルブ１６ｂ及び第三電磁バルブ１６ｃを起動し、第一容器１２のテクネチウム−９９ｍ過テクネチウム酸溶液を第一輸送パイプ１５ａ、第二輸送パイプ１５ｂ、第四輸送パイプ１５ｄ及び第五輸送パイプ１５ｅを通じて、陽イオン固相カラム１４、陰イオン交換カラム１８及び廃液瓶２８へ輸送する。手順Ｓ３０、第一電磁バルブ１６ａを閉じ、第二容器２０内の生理食塩水を陰イオン交換カラム１８及び第一収集フラスコへ輸送するもの。手順Ｓ４０、放射線測定モジュール４２を実行し、第一ガイガー管２６を通じ、テクネチウム−９９ｍ過テクネチウム酸溶液の活性を監視測定するもの。手順Ｓ５０、シグナル測定モジュール４４を実行し、重量測定コンポーネント２４を通じて該第一収集フラスコ内にあるテクネチウム−９９ｍ過テクネチウム酸溶液の重量を監視測定し、自動制御プログラムの実行を中止するかを決定する。
【００１７】
図６に示したのは、本発明のもう一つの好ましい実施例のうち濃縮装置を表した構造ブロック図である。そのうち図６と図２の違いは、図２の陽イオン固相カラム１４が第一輸送パイプ１５a と第一電磁バルブ１６ａに接続されるのに対し、図６の陽イオン固相カラム１４は更に第六輸送パイプ１５ｆと第四電磁バルブ１６ｄに接続されることである。本発明の第四電磁バルブ１６ｄは第三容器３２に接続され、それは生理食塩水溶液を収納するものである。濃縮装置１０が濃縮を行う前に、陽イオン固相カラム１４は洗浄され、第一容器１２にあるテクネチウム−９９ｍ過テクネチウム酸溶液のクロマトグラフィに影響を及ぼすのを避けなければならない。第四電磁バルブ１６ｄを開けると、モーター３０により第三容器３２内の生理食塩水が陽イオン固相カラム１４を通り、陽イオン固相カラム１４を洗浄し、そして陰イオン交換カラム１８を経て第四輸送パイプ１５ｄ、第五輸送パイプ１５ｅ及び廃液瓶２８へ輸送されるのである。
【００１８】
図７に示されているのは、本発明のもう一つの好ましい実施例のフローチャート図である。そのうち図７と図５の違いは、図７は更に一つ多い手順が含まれていることである。それは陽イオン固相カラム１４を洗浄することである。本発明であるテクネチウム−９９ｍ過テクネチウム酸溶液の一種の濃縮方法は、更に手順Ｓ１２０を含む。ここではモーター３０、第二電磁バルブ１６ｂ、第三電磁バルブ１６ｃ、及び第四電磁バルブ１６ｄを起動し、陽イオン固相カラム１４を洗浄する。手順Ｓ１３０では、第四電磁バルブ１６ｄを閉じ、第一電磁バルブ１６ａを開き、テクネチウム−９９ｍ過テクネチウム酸溶液を輸送する。
【００１９】
図８に示したのは、本発明の更にもう一つの好ましい実施例のうち濃縮装置の構造ブロック図である。そのうち図８と図２の違いは図２の陰イオン交換カラム１８が第一電磁バルブ１６ａ、第二電磁バルブ１６ｂ、第一輸送パイプ１５ａと第二輸送パイプ１５ｂに接続されることである。図８の陰イオン交換カラム１８は更に第七輸送パイプ１５ｇと第五電磁バルブ１６ｅに接続される。本発明の第五電磁バルブ１６ｅは第四容器３４に接続され、それは生理食塩水溶液を収納する。第五電磁バルブ１６ｅが開かれると、それによりモーター３０が第四容器３４の生理食塩水溶液を陰イオン交換カラム１８へ輸送し、陰イオン交換カラム１８を溶離し、第四輸送パイプ１５ｄと第二収集フラスコへ輸送する。
【００２０】
合わせて図９に示したのは、本発明の更にもう一つの好ましい実施例のうちフローチャート図である。そのうち図９と図５の違いは図９が更に一つ多い手順を含み、その手順とは陰イオン交換カラム１８を溶離することである。本発明であるテクネチウム−９９ｍ過テクネチウム酸溶液の一種の濃縮方法は、更に手順Ｓ２６０である陰イオン交換カラム１８を溶離することを含む。その手順とは、まず、第一収集フラスコを第二収集フラスコに換え、その後第二電磁バルブ１６ｂを閉じて第五電磁バルブ１６ｅを開き、続いて第四容器３４の生理食塩水溶液により陰イオン交換カラム１８を溶離し、第二収集フラスコがそのサンプル採取を行うものである。
【００２１】
図１０に示したのは、本発明の別の好ましい実施例の構造ブロック図である。そのうち図１０と図２の違いは、図１０では更に収集フラスコ２２の上に薄膜３６が設けられ、第二ガイガー管３８が廃液瓶２８の下に設けられていることである。本発明の濃縮装置１０は更に薄膜３６を設け、生理食塩水溶液を経て得られたテクネチウム−９９ｍ過テクネチウム酸溶液の濾過に用いる。そして第二ガイガー管３８は、制御装置４０の放射線測定モジュール４２による廃液瓶２８の溶液に対する活性測定に用いる。もし廃液瓶２８にある溶液の活性が使用可能な活性を保っている場合は、廃液瓶２８にある溶液を用い次回の濃縮が行える。それにより廃棄溶液が活性に於いて使用可能な基準値に達した時、回収して再利用し不必要な浪費を削減するのである。
【００２２】
以上に述べたことからも分かるように、本発明の濃縮装置はジェネレータの使用寿命を延長できるものである。ここでは更に、活性が２００ｍＣｉであるモリブデン−９９/ テクネチウム−９９ｍジェネレータを例に挙げ、本発明の濃縮装置がいかにモリブデン−９９/ テクネチウム−９９ｍジェネレータの使用寿命を延長させるかということを説明する。図１１と図１２に示したように、モリブデン−９９/ テクネチウム−９９ｍジェネレータは一回溶離するごとに、その２４時間後にならなければ最大の活性である１４０ミリキューリー( ｍｉｌｌｉｃｕｒｉｅ，ｍＣｉ) が得られず、また得られたテクネチウム−９９ｍの活性度も親核モリブデン−９９の減衰に伴い逓減していく。モリブテン−９９/ テクネチウム−９９ｍジェネレータは溶出後の２時間目に、もし再び１０ミリリットル( ｍｌ) の生理食塩水により該ジェネレータを溶離すれば、テクネチウム−９９ｍが得られる活性比は３５ｍＣｉ/ １０ｍｌとなる。
【００２３】
上記のテクネチウム−９９ｍの活性が十分であっても、臨床での使用量が多い核医学心臓機能検査にとっては、上記の活性比はすでに需要を満たさなくなっている。製薬会社であるブリストル・マイヤーズスクイブ社( Ｂｒｉｓｔｏｌ- Ｍｙｅｒｓ  Ｓｑｕｉｂｂ)が販売したテクネチウム−９９ｍ  ＭＩＢＩ( Ｃａｒｏｌｉｔｅ) がその例であり、この製品が求めるテクネチウム−９９ｍの活性比は２５- １５０ｍＣｉ/ １- ３ｍｌ、及び最近市場で販売されるようになったドーパミントランスポーター造影剤( テクネチウム−９９ｍＴＲＯＤＡＴ- １) で求められるテクネチウム−９９ｍの活性比も６- ８ｍＣｉ/ ｍｌである。この場合、もし本発明の濃縮装置を用いテクネチウム−９９ｍに対し濃縮を行う場合は、テクネチウム−９９ｍジェネレータの活性を減少させなくてもよく、体積は効果的に１ｍｌまで減少できる。そのため相対的にモリブデン−９９/ テクネチウム−９９ｍジェネレータの使用率も大幅に向上できるのである。
【００２４】
更に、もしモリブデン−９９/ テクネチウム−９９ｍジェネレータの活性が２００ｍＣｉである場合、モリブテン−９９の活性はジェネレータが溶離を始めて７日目には残り３３ｍＣｉしか溶離できなくなる。そしてもし活性が５００ｍＣｉである場合、モリブテン−９９の活性はジェネレータが溶離を始めて１１日目で残り３０ｍＣｉしか溶離できない。相対活性比がすでに低くなっているため、病院にとってはその時上記のジェネレータが臨床での使用に対し要求を満たさなくなっているので、新しいジェネレータを購入・使用しなければならない。しかしこの時点で本濃縮装置はその活性比を３０ｍＣｉ/ １０ｍｌから３０ｍＣｉ/ １ｍｌへと効果的に濃縮できる。臨床でのジェネレータの交換不要で薬品調合に用いることができ、且つジェネレータそれぞれが使用寿命を３日以上延長できるのである。
【００２５】
これにより、臨床で必要な放射性医薬品の調合に役立ち、更にはジェネレータの使用寿命を延長させ、薬物調合のコストを効果的に軽減でき、市場の需要に大いに答えるものである。そして本発明の濃縮装置は自動化設備であり、そのため更には作業要員が放射性物質に接触する時間を減少し、作業人員が受ける放射線量を減少させることができるのである。
【図面の簡単な説明】
【００２６】
【図１】本発明の好ましい実施例の構造ブロック図である。
【図２】本発明の好ましい実施例のうち濃縮装置の構造ブロック図である。
【図３】本発明の好ましい実施例のうち制御装置の構造ブロック図である。
【図４】本発明の好ましい実施例のうち制御装置の構造ブロック図である。
【図５】本発明の好ましい実施例のうち濃縮製造のフローチャート図である。
【図６】本発明のもう一つの好ましい実施例のうち濃縮製造の構造ブロック図である。
【図７】本発明のもう一つの好ましい実施例のうち濃縮製造のフローチャート図である。
【図８】本発明の更にもう一つの好ましい実施例のうち濃縮製造の構造ブロック図である。
【図９】本発明の更にもう一つの好ましい実施例のうち濃縮製造のフローチャート図である。
【図１０】本発明の別の好ましい実施例のうち濃縮製造の構造ブロック図である。
【図１１】本発明に於けるモリブデン−９９/ テクネチウム−９９ｍジェネレータの活性成長の時間に対する表示図である。
【図１２】本発明に於けるモリブデン−９９/ テクネチウム−９９ｍジェネレータの溶離可能な活性の時間に対する表示図である。
【符号の説明】
【００２７】
１０  濃縮装置
１２  第一容器
１４  陽イオン固相カラム
１５ａ  第一輸送パイプ
１５ｂ  第二輸送パイプ
１５ｃ  第三輸送パイプ
１５ｄ  第四輸送パイプ
１５ｅ  第五輸送パイプ
１５ｆ  第六輸送パイプ
１５ｇ  第七輸送パイプ
１６ａ  第一電磁バルブ
１６ｂ  第二電磁バルブ
１６ｃ  第三電磁バルブ
１６ｅ  第四電磁バルブ
１６ｆ  第五電磁バルブ
１８  陰イオン交換カラム
２０  第二容器
２２  収集フラスコ
２４  重量測定コンポーネント
２６  第一ガイガー管
２８  廃液瓶
３０  モーター
３２  第三容器
３４  第四容器
３６  薄膜
３８  第二ガイガー管
４０  制御装置
４２  放射線測定モジュール
４４  シグナル測定モジュール
４６  シグナル制御モジュール
５０  中央演算処理ユニット
５２  メモリー
【図１】
0004578425.tif 000002
【図２】
0004578425.tif 000003
【図３】
0004578425.tif 000004
【図４】
0004578425.tif 000005
【図５】
0004578425.tif 000006
【図６】
0004578425.tif 000007
【図７】
0004578425.tif 000008
【図８】
0004578425.tif 000009
【図９】
0004578425.tif 000010
【図１０】
0004578425.tif 000011
【図１１】
0004578425.tif 000012
【図１２】
0004578425.tif 000013